(57)【要約】【課題】  本発明は通学や通塾するとき、子供が携帯する、ＧＰＳ、防犯ベル機能付き携帯電話を収納でき、ランドセル肩紐や鞄に装着できるケースを提供する。【解決手段】  請求項１は本体にふたを設け、ふたはマジックテープにて開閉でき、本体の裏面に固定用マジックテープ、固定用ゴムバンド、固定用紐を設け、本体の上部に二重環固定布、二重環、ナスカンを設け、本体下面に防犯ブザー紐用穴を設けることを特徴とした、ＧＰＳ、防犯ブザー機能付き携帯電話を収納するケース。  請求項２は、本体に両側面を設け、背面からふたを設け、ふたはマジックテープにて開閉でき、本体の裏面に固定用マジックテープ、固定用ゴムバンド、固定用紐を設け、本体の上部に二重環固定布、二重環、ナスカンを設け、本体下面に防犯ブザー紐用穴を設けることを特徴とした、ＧＰＳ、防犯ブザー機能付き携帯電話を収納するケース。【選択図】図１
2014110869.tif 000002
【特許請求の範囲】
【請求項１】
本体（１）にふた（２）を設け、本体（１）にふた開閉用マジックテープ（３ｂ）を、ふた（２）にふた開閉用マジックテープ（３ａ）を設け、本体（１）の裏面に固定用マジックテープの表（７ａ）、固定用マジックテープの裏（７ｂ）、固定用ゴムバンド（８）、固定用紐（１１）を設け、本体（１）の上部に二重環固定布（４）を設け、二重環固定布（４）に二重環（５）を設け、二重環（５）にナスカン（６）を設け、本体（１）の下部に防犯ブザー紐用穴（９）を設けたことを特徴とするランドセル肩ベルト、鞄に装着するＧＰＳ、防犯ブザー機能付き携帯電話を収納するケース
【請求項２】
本体（１２）に側面左（１４ａ）、側面右（１４ｂ）、背面からふた（１３）を設け、本体（１２）にふた開閉用マジックテープ表（１７ａ）、背面からふた（１３）のふた裏面に開閉用マジックテープ（１７ｂ）を設け、請求項１と同じで、本体（１２）の裏面に固定用マジックテープの表（１８ａ）、固定用マジックテープの裏（１８ｂ）、固定用ゴムバンド（１６）、固定用紐（１９）を設け、背面からふた（１３）の上部に二重環固定布（２０）を設け、二重環固定布（２０）に二重環（２１）を設け、二重環（２１）にナスカン（２２）を設け、本体（１２）の下部に防犯ブザー紐用穴（１５）を設けたことを特徴とするランドセル肩ベルト、鞄に装着するＧＰＳ、防犯ブザー付き携帯電話を収納するケース
【発明の詳細な説明】
【技術分野】
【０００１】  本発明は、通学や通塾をする子供が携帯している、ＧＰＳ、防犯ベル機能付き携帯電話を、ランドセルの肩ベルトや鞄に装着できるように工夫した、ＧＰＳ、防犯ベル機能付き携帯電話を収納するケースに関するものである。
【背景技術】
【０００２】  近年、子供が通学や通塾の途中で、犠牲となる痛ましい事件が多いため、ＧＰＳ、防犯ベル機能付きの携帯電話を持つ児童が増加している。
公共機関を利用して通学している子供や、徒歩通学の子供、塾通いで帰りが遅くなる子供は保護者との連絡の手段として携帯電話を使用している。
その携帯電話は、通話機能はもちろん、ＧＰＳや防犯ベルの機能や最近ではボタン一つでメールを送れる機能が付いている機種もあり進化は著しい。
また、携帯電話の機種も多種多様化している。
そのような機能が付いている中、従来、子供が通学するとき、携帯電話を収納する方法として、ランドセルの予備具にそのまま携帯電話を装着していた。
市販されている携帯ケースをランドセルの肩ベルトのフックや、ランドセル側面のフックに取り付けていた。
または、ランドセルの中に、直接しまう方法などが多くみられていた。
【先行技術文献】
【特許文献】
【０００３】
【特許文献１】  特開２００１−２７５７３２号公報
【特許文献２】  特開２０１０−２４０２２３号公報
【発明の概要】
【発明が解決しようとする課題】
【０００４】  従来のように携帯電話をむき出しのままランドセルのフックに装着すると、動きの激しい子供では衝撃が加わると故障の原因になっていた。
悪戯でボタンを押してしまったり、あるいはひっかけてしまったりして、駅のホームやバス停などでは大変危険であった。
防犯ブザーも誤って作動してしまうことが多く、防犯ブザーが作動すると保護者には緊急メールが届き、いらぬ心配をすることにもなっていた。
また、ランドセルの中に入れておくと保護者との通話やメールをするとき、帰宅途中でもランドセルや鞄を下ろし携帯電話を取り出さなければいけなかった。
こちらも駅のホーム、バス停、道路などではとても危険であった。
防犯ブザーが付いているものでは、緊急のときに防犯ブザーの紐を引くことは不可能であった。
近年、ＧＰＳ、防犯ブザー付き携帯電話の機種も多種多様化し、市販されている携帯ケースでは、ランドセルの肩ベルトや鞄に装着できず、そのケースに収納するとそれぞれの携帯電話の機能を使うことが困難であった。
本発明は以上の問題点を解決するものである。
【課題を解決するための手段】
【０００５】  請求項１は、本体（１）にふた（２）を設け、本体（１）にふた開閉用マジックテープ（３ｂ）を、ふた（２）裏面にふた開閉用マジックテープ（３ａ）を設け、本体（１）の裏面に固定用マジックテープの表（７ａ）、固定用マジックテープの裏（７ｂ）、固定用ゴムバンド（８）、固定用紐（１１）を設け、本体（１）の上部に二重環固定布（４）を設け、二重環固定布（４）に二重環（５）を設け、二重環（５）にナスカン（６）を設け、本体（１）の下部に防犯ブザー紐用穴（９）を設けたことを特徴とするＧＰＳ、防犯ベル機能付き携帯電話を収納するケース。
請求項２は、本体（１２）に側面左（１４ａ）、側面右（１４ｂ）、背面からふた（１３）を設け、本体（１２）にふた開閉用マジックテープ表（１７ａ）、背面からふた（１３）のふた裏面に開閉用マジックテープ（１７ｂ）を設け、請求項１のように、本体（１２）の裏面に固定用マジックテープの表（１８ａ）、固定用マジックテープの裏（１８ｂ）、固定用ゴムバンド（１６）、固定用紐（１９）を設け、背面からふた（１３）の上部に二重環固定布（２０）を設け、二重環固定布（２０）に二重環（２１）を設け、二重環（２１）にナスカン（２２）を設け、本体（１２）の下部に防犯ブザー紐用穴（１５）を設けたことを特徴とするＧＰＳ、防犯ベル機能付き携帯電話を収納するケース。
【発明の効果】
【０００６】  請求項１の本発明はランドセルや鞄を身に付けたまま、小さな子供でも簡単に携帯電話を出し入れでき、しかも、誤作動なく緊急ブザーを引くことのできるケースである。
ランドセルの肩ベルトや、鞄に装着でき、マジックテープ（登録商標）の開閉のため、使用するときはすぐに取り出すことができる。
ケース前面のくぼみをつけることでさらに簡単、迅速に取り出すことができる。
ナイロン製のケースで、ケース前面にはクッション製のものが入っているのである程度の衝撃を防止できる。
ケース底部には横、約３ｃｍ〜３．５ｃｍの穴がありさらに穴の部分を広がるように縫合してあるため、収納するとき、緊急ブザー用の紐やリングが出やすくなる。
逆に取り出すときは、リングが穴の部分に引っかかり誤作動することも少ない。
ケース背面上部にはゴムバンドがあり、肩ベルトがバックルから外れるものであればゴムバンドに通し、バックルを閉める。
裏面中央のマジックテープで固定すれば落下防止になる。
リュックサックや鞄で、装着部分が柔らかい素材でできているものや、バックルからはずせないタイプのものは、ケース裏面下部についている約３０ｃｍの紐とマジックテープで固定することができ落下防止になる。
ケース背面上部には二重環が付いており、ランドセルや鞄にナスカンが付いていれば装着することも可能。
このように様々な肩ベルトのタイプにも装着することが可能で、落下による機種の破損を防ぐことができる。
請求項２の携帯ケースに関しては、ケース前面の高さを機種が半分見えるようにすることで、簡単に取り出すことができる。
携帯電話が半分見えていることで、ケースから携帯電話を取りださずにふたを開けるだけで操作することも可能である。
背面からふたまでは一枚の布となっているため、ふた裏面のマジックテープを大きくすることで、様々な大きさの機種を収納することができる。
ふたを閉めた時は、両側面上下部分に間があくので携帯電話の側面に付いているボタン機能やライト機能を、携帯電話をケースから出さなくても操作することができる。
また、ケースから出さなくても充電が可能となる。
請求項１のように、ナイロン製のケースで、ケース前面にはクッション製のものが入っているのである程度の衝撃を防止できる。
ケース底部には横、約３ｃｍ〜３．５ｃｍの穴がありさらに穴の部分を広がるように縫合してあるため、収納するとき、緊急ブザー用の紐やリングが出やすくなる。
逆に取り出すときは、リングが穴の部分に引っかかり誤作動することも少ない。
ケース背面下部にはゴムバンドがあり、肩ベルトがバックルから外れるものであればゴムバンドに通し、バックルを閉める。
裏面中央のマジックテープで固定すれば落下防止になる。
リュックサックや鞄で、装着部分が柔らかい素材でできているものや、バックルからはずせないタイプのものは、ケース裏面上部についている約３０ｃｍの紐とマジックテープで固定することができ落下防止になる。
ケース背面上部には二重環が付いており、ランドセルや鞄にナスカンが付いていれば装着することも可能。
【図面の簡単な説明】
【０００７】
【図１】  本発明請求項１の全体の斜視図である。
【図２】  本発明請求項１の正面のふたの開口時の説明図である。
【図３】  本発明請求項１の裏面の正面図である。
【図４】  本発明請求項１の底面の斜視図である。
【図５】  本発明請求項１の裏面固定テープの詳細な説明図である。
【図６】  本発明請求項１のランドセル装着した状態の説明図である。
【図７】  本発明請求項１、請求項２を装着したとき全体の説明図である。
【図８】  本発明請求項２の全体の斜視図である。
【図９】  本発明請求項２の正面のふたの開口時の説明図である。
【図１０】  本発明請求個２の底面の説明図である。
【図１１】  本発明請求項２の裏面正面図である。
【図１２】  本発明請求項２の側面図である。
【図１３】  本発明請求項２の裏面固定テープの詳細な説明図である。
【図１４】  本発明請求項２のランドセル装着した状態の説明図である。
【発明を実施するための形態】
【０００８】  以下、本発明の実態の携帯を説明する
請求項１、本体（１）にふた（２）を設け、本体（１）にふた開閉用マジックテープ（３ｂ）を、ふた（２）にふた開閉用マジックテープ（３ａ）を設け、本体（１）の裏面に固定用マジックテープの表（７ａ）、固定用マジックテープの裏（７ｂ）、固定用ゴムバンド（８）を設け、本体（１）の上部に二重環固定布（４）を設け、二重環固定布（４）に二重環（５）を設け、二重環（５）にナスカン（６）を設け、本体（１）の下部に防犯ブザー紐用穴（９）を設けたことを特徴とする、ＧＰＳ、防犯ベル機能付き携帯電話を収納するケース。
ナイロン製の布で構成され、箱状のケースにマジックテープで開閉するふたを設け、上から携帯電話を収納するランドセル肩ベルト、鞄に装着できるＧＰＳ、防犯ブザー付き携帯電話ケース。
ケース上部に二重環、ナスカンを設け、ケース背面上段はゴムバンド、ケース背面中段にマジックテープ、ケース背面下段に紐を設けたランドセル肩ベルト、鞄に装着できるＧＰＳ、防犯ブザー付き携帯電話ケース。
ケース前面にクッション製生地を入れ縫合しているランドセル肩ベルト、鞄に装着できるＧＰＳ、防犯ブザー付き携帯電話ケース。
ケース前面上部にくぼみがあるランドセル肩ベルト、鞄に装着できるＧＰＳ、防犯ブザー付き携帯電話ケース。
ケース底部には防犯ブザーのリングが出るようにリングの厚みを開け縫合してある肩ベルト、鞄に装着できるＧＰＳ、防犯ブザー付き携帯電話ケース。
図７のように、本体（１）をランドセルの肩ベルトや鞄に装着し、ランドセル肩ベルトや鞄を身に付けたままＧＰＳ、防犯ブザー付き携帯電話を取り扱うことができる。
また、緊急時、迅速に防犯ブザーを引くことができる。
図４の防犯ブザー紐用穴（９）は防犯ブザーリングを出す部分であり、横約３ｃｍ〜３．５ｃｍの穴をあけ、厚さ約０．３ｍｍのリングが引っかかることなく携帯電話を取り出すために、まちをとりながら縫着する。
図１のように前面部、背面部、ふた部分から構成しており、それらを箱状の形になるように縫着し、携帯電話を上から入れる。
図２のように、ふた（２）の開閉はふた開閉用マジックテープ（３ａ）とふた開閉用マジックテープ（３ｂ）を貼り合わせる。
図２の取り出し用くぼみ（１０）のように、携帯電話を取り出しやすいように、ケース前面部中央にくぼみを設けている。
ケース前面部には、クッション製の生地を中に入れ縫着している。
図３のように裏面上部に二重環固定布（４）を縫いこみ二重環固定布（４）に二重環（５）を通し、二重環（５）にナスカン（６）を通すことで、ランドセルや鞄に金具が付いているものに対し、簡単に装着することができる。
図３のケース背面上段には長さ、約６ｃｍ〜７ｃｍの固定用ゴムバンド（８）を、たるみが出るように縫着している。
ランドセルの肩ベルトがバックルからはずせるものであれば、固定用ゴムバンド（８）に通すことで落下防止対策となる。
固定用ゴムバンド（８）のたるみがないと、ケースを肩ベルトに装着したとき、固定用ゴムバンド（８）の縫着箇所が引っ張られ、ケース収容面積が狭くなることで携帯電話の取り出しが困難になる。
ケース裏面中段のマジックテープ（７）は長さ約１４ｃｍで、ランドセルの肩ベルトや、鞄に巻きつけ固定する。
図５の固定用マジックテープ表（７ａ）、固定用マジックテープ裏（７ｂ）のようにマジックテープが直接制服や洋服に当たる部分にはナイロン製の布で覆っており、摩擦による制服や洋服の擦れを防ぐ。
図３の固定用マジックテープ（７）と固定用ゴムバンド（８）で固定することで、落下防止が強化されるが、ランドセルの肩ベルトがバックルからはずせないものでも固定用マジックテープ（７）の固定だけでも落下防止対策となる。
図３、固定用紐（１１）はケース背面下段にあり、ランドセルの肩紐や鞄のベルトが柔らかい素材のものに結びつける長さ約３０ｃｍの紐である。
請求項２は、本体（１２）に側面左（１４ａ）、側面右（１４ｂ）、背面からふた（１３）を設け、本体（１２）にふた開閉用マジックテープ表（１７ａ）、背面からふた（１３）のふた裏面に開閉用マジックテープ（１７ｂ）を設け、本体（１２）の裏面に固定用マジックテープの表（１８ａ）、固定用マジックテープの裏（１８ｂ）、固定用ゴムバンド（１６）、固定用紐（１９）を設け、背面からふた（１３）の上部に二重環固定布（２０）を設け、二重環固定布（２０）に二重環（２１）を設け、二重環（２１）にナスカン（２２）を設け、本体（１２）の下部に防犯ブザー紐用穴（１５）を設けたことを特徴とするランドセル肩ベルト、鞄に装着するＧＰＳ、防犯ブザー付き携帯電話を収納するケース。
ナイロン製の布で構成され、前面部、両側面部、背面からふたが一枚の布となっているランドセル肩ベルト、鞄に装着できるＧＰＳ、防犯ブザー付き携帯電話である。
前面部が携帯電話の約半分の高さになっているランドセル肩ベルト、鞄に装着できるＧＰＳ・防犯ブザー付き携帯電話である。
ふた裏面の開閉用マジックテープを大きくしているランドセル肩ベルト、鞄に装着できるＧＰＳ、防犯ブザー付き携帯電話である。
図９のように、携帯電話を取り出しやすくするためと、ケースから携帯電話を出さなくてもボタンが押せるように、本体（１３）前面部の高さを携帯電話が約半分出るように縫着している。
図１２のように、側面左（１４ａ）、側面右（１４ｂ）を、下約１．５ｃｍ間をあけ、本体（１２）の高さに合うように縫着している。
また、背面からふたまで（１３）が一枚の布となっているため、ふたを閉めたとき、側面上部分も間があくため、携帯電話の両サイドに付いている機能をケースから出さなくても操作が可能となる。
ケースから携帯電話を出さなくても充電可能となる。
図９のように背面からふた（１３）のふた部分裏面のマジックテープを大きくして装着しているため、多種多様な機種の大きさに対応することができる。
【符号の説明】
【０００９】    １    請求項１本体
２    請求項１ふた
３ａ  請求項１ふた開閉用マジックテープ（登録商標）
３ｂ  請求項１ふた開閉用マジックテープ
４    請求項１二重環固定布
５    請求項１二重環
６    請求項１ナスカン
７ａ  請求項１固定用マジックテープの表
７ｂ  請求項１固定用マジックテープの裏
８    請求項１固定用ゴムバンド
９    請求項１防犯ブザー紐用穴
１０  請求項１取り出し用くぼみ
１１  請求項１固定用紐
１２  請求項２本体
１３  請求項２背面からふた
１４ａ  請求項２側面左
１４ｂ  請求項２側面右
１５  請求項２防犯ブザー紐用穴
１６  請求項２固定用ゴムバンド
１７ａ  請求項２ふた開閉用マジックテープ
１７ｂ  請求項２ふた開閉用マジックテープ
１８ａ  請求項２固定用マジックテープの表
１８ｂ  請求項２固定用マジックテープの裏
１９  請求項２固定用紐
２０  請求項２二重環固定布
２１  請求項２二重環
２２  請求項２ナスカン
【図１】
2014110869.tif 000003
【図２】
2014110869.tif 000004
【図３】
2014110869.tif 000005
【図４】
2014110869.tif 000006
【図５】
2014110869.tif 000007
【図６】
2014110869.tif 000008
【図７】
2014110869.tif 000009
【図８】
2014110869.tif 000010
【図９】
2014110869.tif 000011
【図１０】
2014110869.tif 000012
【図１１】
2014110869.tif 000013
【図１２】
2014110869.tif 000014
【図１３】
2014110869.tif 000015
【図１４】
2014110869.tif 000016